【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
交換レンズが取り外し可能に装着され、該交換レンズとの通信が可能な撮像装置であって、
複数の画像回復フィルタを記憶するフィルタ記憶手段と、
該複数の画像回復フィルタから選定した画像回復フィルタを用いて、撮像により得られた画像に対して画像回復処理を行う画像処理手段とを有し、
前記交換レンズは、該交換レンズにおいて変更可能なパラメータの値に応じた前記画像回復フィルタの選定に用いられるフィルタ識別情報を記憶しており、
該撮像装置は、前記パラメータの値に対応する前記フィルタ識別情報を前記交換レンズから受信し、
前記画像処理手段は、前記受信したフィルタ識別情報に基づいて選定された画像回復フィルタを用いて画像回復処理を行うことを特徴とする撮像装置。
【請求項２】
交換レンズが取り外し可能に装着され、該交換レンズとの通信が可能な撮像装置であって、
複数の画像回復フィルタを記憶するフィルタ記憶手段と、
該複数の画像回復フィルタから選定した画像回復フィルタを用いて、撮像により得られた画像に対して画像回復処理を行う画像処理手段とを有し、
前記交換レンズは、該交換レンズにおいて変更可能なパラメータの値に応じた前記画像回復フィルタの選定に用いられるフィルタ識別情報を記憶しており、
該撮像装置は、前記パラメータにおける複数の値に対応する前記フィルタ識別情報、及び前記パラメータを前記交換レンズから受信し、
前記画像処理手段は、前記受信したパラメータの値、及びフィルタ識別情報に基づいて選定された画像回復フィルタを用いて画像回復処理を行うことを特徴とする撮像装置。
【請求項３】
前記交換レンズは、該交換レンズを識別させるためのレンズ識別情報と、該交換レンズに対して個別に設定された画像回復フィルタであるレンズ個別画像回復フィルタとを記憶しており、
該撮像装置は、前記レンズ識別情報と前記レンズ個別画像回復フィルタとを前記交換レンズから受信して、前記レンズ識別情報に対応付けて前記レンズ個別画像回復フィルタを前記フィルタ記憶手段に記憶し、
前記画像処理手段は、前記交換レンズから受信した前記レンズ識別情報に対応付けて記憶された前記レンズ個別画像回復フィルタを用いて前記画像回復処理を行うことを特徴とする請求項１または２に記載の撮像装置。
【請求項４】
前記画像処理手段は、前記交換レンズから受信した前記レンズ識別情報に対応する前記レンズ個別画像回復フィルタが前記フィルタ記憶手段に記憶されていない場合は、前記フィルタ識別情報を用いて前記フィルタ記憶手段に記憶された前記複数の画像回復フィルタから前記画像回復処理に用いる画像回復フィルタを選定することを特徴とする請求項３に記載の撮像装置。
【請求項５】
該撮像装置は、前記交換レンズからの前記レンズ個別画像回復フィルタの受信を、撮像待機状態にて行い、前記レンズ個別画像回復フィルタの受信中の撮像指示に応じて撮像を行うことを特徴とする請求項３に記載の撮像装置。
【請求項６】
撮像装置に取り外し可能に装着され、該撮像装置との通信が可能な交換レンズであって、
前記撮像装置は、複数の画像回復フィルタを記憶し、該複数の画像回復フィルタから選定した画像回復フィルタを用いて、撮像により得られた画像に対して画像回復処理を行い、
該交換レンズは、
該交換レンズにおいて変更可能なパラメータの値に応じた前記画像回復フィルタの選定に用いられるフィルタ識別情報を記憶する識別情報記憶手段を有しており、
前記パラメータの値に対応する前記フィルタ識別情報を前記撮像装置に送信することを特徴とする交換レンズ。
【請求項７】
撮像装置に取り外し可能に装着され、該撮像装置との通信が可能な交換レンズであって、
前記撮像装置は、複数の画像回復フィルタを記憶し、該複数の画像回復フィルタから選定した画像回復フィルタを用いて、撮像により得られた画像に対して画像回復処理を行い、
該交換レンズは、
該交換レンズにおいて変更可能なパラメータの値に応じた前記画像回復フィルタの選定に用いられるフィルタ識別情報を記憶する識別情報記憶手段を有しており、
該交換レンズは、
前記パラメータにおける複数の値に対応する前記フィルタ識別情報、及び前記パラメータを前記撮像装置に送信することを特徴とする交換レンズ。
【請求項８】
交換レンズが取り外し可能に装着される撮像装置に、該撮像装置において記憶された複数の画像回復フィルタから選定した画像回復フィルタを用いて、撮像により得られた画像に対して画像回復処理を行わせる制御プログラムであって、
前記撮像装置に、
前記交換レンズにおいて記憶された、該交換レンズにおいて変更可能なパラメータの値に応じた前記画像回復フィルタの選定に用いられるフィルタ識別情報を受信させ、
該受信したフィルタ識別情報に基づいて選定された画像回復フィルタを用いて画像回復処理を行わせることを特徴とする撮像装置の制御プログラム。
【請求項９】
交換レンズが取り外し可能に装着される撮像装置に、該撮像装置において記憶された複数の画像回復フィルタから選定した画像回復フィルタを用いて、撮像により得られた画像に対して画像回復処理を行わせる制御プログラムであって、
前記撮像装置に、
前記交換レンズにおいて記憶された、該交換レンズにおいて変更可能なパラメータの値に応じた前記画像回復フィルタの選定に用いられるフィルタ識別情報、及び前記パラメータを受信させ、
前記受信したパラメータの値、及びフィルタ識別情報に基づいて選定された画像回復フィルタを用いて画像回復処理を行わせることを特徴とする撮像装置の制御プログラム。
【請求項１０】
複数の画像回復フィルタを記憶し、該複数の画像回復フィルタから選定した画像回復フィルタを用いて、撮像により得られた画像に対して画像回復処理を行う撮像装置に取り外し可能に装着される交換レンズに、
該交換レンズにおいて変更可能なパラメータの値に応じた前記画像回復フィルタの選定に用いられるフィルタ識別情報であって、前記パラメータの値に対応するフィルタ識別情報を前記撮像装置に送信させることを特徴とする交換レンズの制御プログラム。
【請求項１１】
複数の画像回復フィルタを記憶し、該複数の画像回復フィルタから選定した画像回復フィルタを用いて、撮像により得られた画像に対して画像回復処理を行う撮像装置に取り外し可能に装着される交換レンズに、
該交換レンズにおいて変更可能なパラメータの値に応じた前記画像回復フィルタの選定に用いられるフィルタ識別情報であって、前記パラメータにおける複数の値に対応する前記フィルタ識別情報、及び前記パラメータを前記撮像装置に送信させることを特徴とする交換レンズの制御プログラム。
【手続補正２】
【補正対象書類名】明細書
【補正対象項目名】００１１
【補正方法】変更
【補正の内容】
【００１１】
本発明の一側面としての撮像装置は、交換レンズが取り外し可能に装着され、該交換レンズとの通信が可能な撮像装置である。該撮像装置は、複数の画像回復フィルタを記憶するフィルタ記憶手段と、該複数の画像回復フィルタから選定した画像回復フィルタを用いて、撮像により得られた画像に対して画像回復処理を行う画像処理手段とを有する。交換レンズは、該交換レンズにおいて変更可能なパラメータの値に応じた画像回復フィルタの選定に用いられるフィルタ識別情報を記憶している。該撮像装置は、パラメータの値に対応するフィルタ識別情報を交換レンズから受信する。そして、画像処理手段は、該受信したフィルタ識別情報に基づいて選定された画像回復フィルタを用いて画像回復処理を行うことを特徴とする。
【手続補正３】
【補正対象書類名】明細書
【補正対象項目名】００１２
【補正方法】変更
【補正の内容】
【００１２】
また、本発明の他の一側面としての撮像装置は、交換レンズが取り外し可能に装着され、該交換レンズとの通信が可能な撮像装置である。該撮像装置は、複数の画像回復フィルタを記憶するフィルタ記憶手段と、該複数の画像回復フィルタから選定した画像回復フィルタを用いて、撮像により得られた画像に対して画像回復処理を行う画像処理手段とを有する。交換レンズは、該交換レンズにおいて変更可能なパラメータの値に応じた画像回復フィルタの選定に用いられるフィルタ識別情報を記憶している。該撮像装置は、パラメータにおける複数の値に対応するフィルタ識別情報、及びパラメータを交換レンズから受信する。そして、画像処理手段は、受信したパラメータの値、及びフィルタ識別情報に基づいて選定された画像回復フィルタを用いて画像回復処理を行うことを特徴とする。
【手続補正４】
【補正対象書類名】明細書
【補正対象項目名】００１３
【補正方法】変更
【補正の内容】
【００１３】
また、本発明の他の一側面としての交換レンズは、撮像装置に取り外し可能に装着され、該撮像装置との通信が可能な交換レンズである。該撮像装置は、複数の画像回復フィルタを記憶し、該複数の画像回復フィルタから選定した画像回復フィルタを用いて、撮像により得られた画像に対して画像回復処理を行う。該交換レンズは、該交換レンズにおいて変更可能なパラメータの値に応じた画像回復フィルタの選定に用いられるフィルタ識別情報を記憶する識別情報記憶手段を有する。そして、該撮像装置に、パラメータの値に対応するフィルタ識別情報を送信することを特徴とする。
【手続補正５】
【補正対象書類名】明細書
【補正対象項目名】００１４
【補正方法】変更
【補正の内容】
【００１４】
また、本発明の他の一側面としての交換レンズは、撮像装置に取り外し可能に装着され、該撮像装置との通信が可能な交換レンズである。該撮像装置は、複数の画像回復フィルタを記憶し、該複数の画像回復フィルタから選定した画像回復フィルタを用いて、撮像により得られた画像に対して画像回復処理を行う。該交換レンズは、該交換レンズにおいて変更可能なパラメータの値に応じた画像回復フィルタの選定に用いられるフィルタ識別情報を記憶する識別情報記憶手段を有する。該交換レンズは、パラメータにおける複数の値に対応するフィルタ識別情報、及びパラメータを前記撮像装置に送信することを特徴とする。
【手続補正６】
【補正対象書類名】明細書
【補正対象項目名】００１５
【補正方法】変更
【補正の内容】
【００１５】
また、本発明の他の一側面としての制御プログラムは、交換レンズが取り外し可能に装着される撮像装置に、該撮像装置において記憶された複数の画像回復フィルタから選定した画像回復フィルタを用いて、撮像により得られた画像に対して画像回復処理を行わせる制御プログラムである。該制御プログラムは、該撮像装置に、該交換レンズにおいて記憶された、該交換レンズにおいて変更可能なパラメータの値に応じた画像回復フィルタの選定に用いられるフィルタ識別情報を受信させ、該受信したフィルタ識別情報に基づいて選定された画像回復フィルタを用いて画像回復処理を行わせることを特徴とする。
【手続補正７】
【補正対象書類名】明細書
【補正対象項目名】００１６
【補正方法】変更
【補正の内容】
【００１６】
また、本発明の他の一側面としての制御プログラムは、交換レンズが取り外し可能に装着される撮像装置に、該撮像装置において記憶された複数の画像回復フィルタから選定した画像回復フィルタを用いて、撮像により得られた画像に対して画像回復処理を行わせる制御プログラムである。該制御プログラムは、該撮像装置に、該交換レンズにおいて記憶された、該交換レンズにおいて変更可能なパラメータの値に応じた画像回復フィルタの選定に用いられるフィルタ識別情報、及びパラメータを受信させ、受信したパラメータの値、及びフィルタ識別情報に基づいて選定された画像回復フィルタを用いて画像回復処理を行わせることを特徴とする。
【手続補正８】
【補正対象書類名】明細書
【補正対象項目名】００１７
【補正方法】変更
【補正の内容】
【００１７】
また、本発明の他の一側面としての制御プログラムは、複数の画像回復フィルタを記憶し、該複数の画像回復フィルタから選定した画像回復フィルタを用いて、撮像により得られた画像に対して画像回復処理を行う撮像装置に取り外し可能に装着される交換レンズに、該交換レンズにおいて変更可能なパラメータの値に応じた画像回復フィルタの選定に用いられるフィルタ識別情報であって、パラメータの値に対応するフィルタ識別情報を撮像装置に送信させることを特徴とする。
【手続補正９】
【補正対象書類名】明細書
【補正対象項目名】００１８
【補正方法】変更
【補正の内容】
【００１８】
さらに、本発明の他の一側面としての制御プログラムは、複数の画像回復フィルタを記憶し、該複数の画像回復フィルタから選定した画像回復フィルタを用いて、撮像により得られた画像に対して画像回復処理を行う撮像装置に取り外し可能に装着される交換レンズに、該交換レンズにおいて変更可能なパラメータの値に応じた画像回復フィルタの選定に用いられるフィルタ識別情報であって、該パラメータにおける複数の値に対応するフィルタ識別情報、及びパラメータを撮像装置に送信させることを特徴とする。